(57)【要約】【課題】接触片及びコイルばねをそれぞれ２つづつ備えていながら小型化をより図り易くする。【解決手段】ソケット本体１が前開口部１０を形成していると共に、前開口部１０を介して突出配置されている一対のピン挿入孔３０を有する摺動体３と、該摺動体を突出方向へ付勢している一対の付勢部材と、摺動体３の各ピン挿入孔３０の内側に配置された一対の接触片５とを備え、蛍光灯４０がそのランプピン４２を摺動体３の軸方向への移動を伴ってピン挿入孔３０に差し込んで接触片５に接続可能となる蛍光灯用差込式ソケットにおいて、前記摺動体３は、各接触片５を背面側の略中央からピン挿入孔３０を横切って左又は右方向に配置していると共に、前記各付勢部材として上下略平行に配置した上側及び下側のコイルばね４により付勢されていることを特徴としている。【選択図】 図４
2008262723.tif 000002
【特許請求の範囲】
【請求項１】
ソケット本体が前開口部を形成していると共に、前記前開口部を介して突出配置されている一対のピン挿入孔を有する摺動体と、前記摺動体を突出方向へ付勢している一対の付勢部材と、前記摺動体の各ピン挿入孔の内側に配置された一対の接触片とを備え、蛍光灯がそのランプピンを前記摺動体の軸方向への移動を伴って前記ピン挿入孔に差し込んで前記接触片に接続可能となる蛍光灯用差込式ソケットにおいて、
前記摺動体は、前記各接触片を背面側の略中央から前記ピン挿入孔を横切って左又は右方向に配置していると共に、前記各付勢部材として上下略平行に配置した上側及び下側のコイルばねにより付勢されていることを特徴とする蛍光灯用差込式ソケット。
【請求項２】
前記ソケット本体は、背面部及び底面部を分割形成していると共に、内部に配設されて電源側リード線から前記各接触片へ電気的に接続可能にする導電部材を有している請求項１に記載の蛍光灯用差込式ソケット。
【請求項３】
前記導電部材は、前記背面部の両側上下方向に配設されて前記リード線に接続される固定片と、前記固定片と前記接触片とを接続している屈曲可能な線材とからなる請求項２に記載の蛍光灯用差込式ソケット。
【請求項４】
前記接触片は、前記摺動体に設けられた空間部内に配置され、かつ弾性部材により前方へ押圧されている請求項１から３の何れかに記載の蛍光灯用差込式ソケット。
【請求項５】
前記摺動体は、前記ソケット本体及び前記底面部にそれぞれ設けられた上下のガイド部に沿って移動される請求項１から４の何れかに記載の蛍光灯用差込式ソケット。
【発明の詳細な説明】
【技術分野】
【０００１】
本発明は、蛍光灯に使用されるソケットのうち、特に蛍光灯を軸方向の移動を伴って着脱したり点灯状態にする差込式ソケットに関する。
【背景技術】
【０００２】
直管型の蛍光灯に使用される差込式ソケットは、特許文献１や２に開示されているように、ソケット本体と、摺動体と、一対の接触片（端子）及び付勢部材とを備えている。ソケット本体は、前開口部を有し、摺動体をその前開口部から突出配置している。摺動体は、蛍光灯の口金側ランプピンに対応した一対のピン挿入孔を形成している。各接触片は、摺動体のピン挿入孔の内側に配置されてピン挿入孔から挿通されるランプピンと接続されると共に、電源側リード線に導電部材などを介して電気的に接続される。付勢部材は、２つのコイルばねが用いられ、ソケット本体の背面と摺動体との間にあって水平方向に並設された状態で摺動体を前方へ付勢している。そして、この構造では、２つのソケットが蛍光灯に対応した間隔を保って配置される。蛍光灯は、両端のランプピンが対応ソケット側摺動体の軸方向への移動を伴ってピン挿入孔に差し込まれることで接触片に接続されると共に、両側のソケットを介して支持される。
【０００３】
【特許文献１】特開２００４−２９６２６２号公報（図１〜図５）
【特許文献２】特開平８−１１５７７８号公報
【発明の開示】
【発明が解決しようとする課題】
【０００４】
上記ソケット構造にあっては、摺動体を２つのコイルばねにより付勢しているため、単一のコイルばねで付勢する構造（例えば、特許文献１、図１１〜図１３の構造）に比べて摺動体を片寄りなく安定して押圧でき、蛍光灯側ランプピンに対する接触片の接触圧も確保し易くなる。しかしながら、従来構造では、各接触片が一端側にランプピンと接続する箇所を形成し、他端側に電源側リード線と接続する接続部を一体に形成しており、また、摺動体に対して縦配置になっているためソケットの小型化を図り難くかった。しかも、従来構造では、小型化するため接触片の形状を変更しようとしても、各コイルばねが左右つまり幅方向に並設されている関係で設計自由度が制約されていた。
【０００５】
本発明の目的は、以上のような課題を解消して、接触片及びコイルばねをそれぞれ２つづつ備えていながら小型化をより図り易くする。また、接触片と電源側リード線との間の導電構造を簡明にしたり、摺動体をより安定移動できるようにしたり、ランプピンに対する接触片の接触圧の変動をより抑えて、品質及び信頼性を向上することにある。
【課題を解決するための手段】
【０００６】
上記の目的を達成するため本発明は、ソケット本体が前開口部を形成していると共に、前記前開口部を介して突出配置されている一対のピン挿入孔を有する摺動体と、前記摺動体を突出方向へ付勢している一対の付勢部材と、前記摺動体の各ピン挿入孔の内側に配置された一対の接触片とを備え、蛍光灯がそのランプピンを前記摺動体の軸方向への移動を伴って前記ピン挿入孔に差し込んで前記接触片に接続可能となる蛍光灯用差込式ソケットにおいて、前記摺動体は、前記各接触片を背面側の略中央から前記ピン挿入孔を横切って左又は右方向に配置していると共に、前記各付勢部材として上下略平行に配置した上側及び下側のコイルばねにより付勢されていることを特徴としている。
【０００７】
以上のソケット構造では次のように具体化することがより好ましい。
第１に、前記ソケット本体は、背面部及び底面部を分割形成していると共に、内部に配設されて電源側リード線から前記各接触片へ電気的に接続可能にする導電部材を有している構成である（請求項２）。
第２に、前記導電部材は、前記背面部の両側上下方向に配設されて前記リード線に接続される固定片と、前記固定片と前記接触片とを接続している屈曲可能な線材とからなる構成である（請求項３）。
第３に、前記接触片は、前記摺動体に設けられた空間部内に配置され、かつ弾性部材により前方へ押圧されている構成である（請求項４）。
第４に、前記摺動体は、前記ソケット本体及び前記底面部にそれぞれ設けられた上下のガイド部に沿って摺動される構成である（請求項５）。
【発明の効果】
【０００８】
請求項１の発明では、各接触片を摺動体の背面側略中央からピン挿入孔を横切って左又は右方向に配置した接触片の配置構成と、各コイルばねを上下略平行つまり上下２段に配置したコイルばねの配置構成とにより、２つのコイルばねを具備しながら蛍光灯用差込式ソケットとしてより小型化できる。
【０００９】
請求項２の発明では、ソケット本体が背面部及び底面部を分割形成していると、形態例のごとく摺動体用のガイド部、及び各接触片と電源側リード線とを電気接続可能にする導電部材を支持したり取り付ける部分を容易に形成できる。これに対し、請求項３の発明では、前記導電部材として、背面部に配設されて電源側リード線に接続される固定片と、該固定片と接触片とを接続する線材とで構成することで、部材同士の緩衝や接触の虞を確実に無くすことができる。
【００１０】
請求項３の発明では、蛍光灯側ランプピンに対する接触片の接触圧を、摺動体を付勢している上下２段のコイルばねの圧設定と、弾性部材の弾性力設定より、ランプピンの長さ寸法ばらつきの影響を受け難くして良好な接触状態を得られるようにする。これに対し、請求項４の発明では摺動体が上下のガイド部に沿って安定した状態で移動される。
【発明を実施するための最良の形態】
【００１１】
以下、本発明の最良な形態を図面を参照しながら説明する。この説明では、ソケット構造、組立要領、作動の順に詳述する。なお、対象の差込式ソケットは、図８に例示したような直管型の蛍光灯４０に使用されるものである。
【００１２】
（ソケット構造）形態例の差込式ソケットは、ソケット本体１が前開口部１０を形成しており、本体内から該前開口部１０を介して突出配置されている摺動体３と、摺動体３を突出方向へ付勢している２つのコイルばね４，４と、摺動体３の背面側に配置された一対の接触片５，５と、各接触片５を前方へ押圧している弾性部材６，６と、接触片５，５と電源側リード線９，９とを電気的に接続可能にする導電部材である固定片７，７及び屈曲可能な線材８，８とを備えている。なお、ソケット本体１及び摺動体３は樹脂成形品であるが、材質的にはガラスや陶磁器製でも差し支えない。
【００１３】
ここで、ソケット本体１は、背面部２０及び底面部２５が分割形成され後付けにより一体化されている。すなわち、ソケット本体１は図６と図７の各（ａ）に示される形状、つまり前面１１と両側面１２及び円弧状の上面１３とで区画され、背面及び下面が欠如した状態に形成されている。前面１１は、上側に前開口部１０を形成し、その下側に小さな係止孔１１ａを形成している。両側面１２は、対称形であり、下側に位置して外前後方向に延設されている取付用の支持溝１４及び内後側に突設されている張出部１５と、張出部１５の後端面に設けられている取付穴１６と、上面１３との境目付近に位置して外後側に突設されている一対の連結部１７と、各連結部１７の後端面に設けられている取付穴１８と、上面１３との境目付近に位置して内面前後方向に延設されている一対のガイド部１９などを有している。また、両側面１２の内面には、上下略中間でかつ後端側に固定片押さえ用凸部１２ａが設けられている。張出部１５には内面側に凹部１５ａが設けられている。
【００１４】
背面部２０は、図５と図７（ａ）に示されるように内面周囲を一段高く縁取りした板状をなし、前記連結部１７に対応して上側の左右コーナー部に突設されている一対の連結部２０ａと、内側の左右中間線上に位置して上下間隔を保って突設されている２つの支持突起２１と、上側支持突起２１の周囲に略Ω状に突設されている押さえ部２２と、両下側の縁取部から対向して突設されている係合部２３と、両係合部２３の間にあって２つの押さえ用金具５０を位置決め係止する概略Ｕ形の係合溝２４と、係合溝２４を形成しているＵ形の両側に設けられて真下に貫通されている一対の貫通孔２０ｂと、両側に設けられてソケット本体側支持溝１４に対応した支持溝２０ｄなどを有している。
【００１５】
このうち、各支持突起２１はコイルばね４の対応端側を支持する。各係合部２３は、固定片７の下側に設けられた屈曲部７ａと係合することで該固定片下側を支持する。各金具５０は、係合溝２４を形成している両側の上下溝部分に係合される取付板部と、該取付板部の上側から外側へ斜めに折り曲げられている押圧部とからなる。各固定片７は金属製である。各固定片７の上側には対応する接触片５から延びる線材８が溶接される。この線材８は導電性であると共に屈曲可能なものであればよい。そして、押さえ部２２は、両端部分が図５のごとく固定片７の上側を該線材８の接合部を介して側部へ押圧することで位置規制している。また、両連結部２０ａは、図示しないが、一方が貫通孔を形成し、他方がピンを形成している。
【００１６】
底面部２５は、図４と図７（ｂ）に示されるように小ブロック状をなし、上面前後方向に延設されている凹状のガイド部２６、前端面に突設されている係合部２７、ガイド部２６の後両側に突設されている片部２８、両側の前部分に突設されている張出部２９、両側面のうち張出部２９の後側に突設されている爪２５ａ、張出部２９の外側面に設けられて前後に延びている前後溝２９ａなどを有している。また、底面部２５の下面には、図４（ａ）に示されるようにソケットを被取付部に取り付ける際に位置決めなどとして必要に応じて使用される凹部２５ｂ及び凸部２５ｃが設けられている。
【００１７】
これに対し、摺動体３は、図４と図６（ｂ）に示されるように概略円盤状をなし、上下中間に位置して所定間隔を保って設けられている一対のピン挿入孔３０、背面側に突設されて各ピン挿入孔３０をドーム状に覆った状態で内側に空間部３２を区画しているカバー部３１、カバー部３１を挟んだ上下部分に設けられて周囲溝３４で区画されている２つの支持突起３３、上側周囲に設けられてソケット本体側ガイド部１９と嵌合する一対の凹状嵌合部３５、左右中間に位置して下側に突設されて底面部側ガイド部２６と嵌合する凸部３６などを有している。このうち、ピン挿入孔３０は、従来と同じく蛍光灯側口金４１に突出されている一対のランプピン４２（図８（ｃ））を通す孔である。カバー部３１は、ピン挿入孔３０同士の間に仕切壁を有し、各空間部３２として該仕切壁と上下壁及び縦壁とで区画して側面を開口していると共に、上下壁を連通している差込孔３１ａを両側に形成している。
【００１８】
そして、各空間部３２には、接触片５が側面の開口からピン挿入孔３０の孔軸線上を横切るよう差し込まれると共に、弾性部材６である小さなコイルばねが接触片５をピン挿入孔３０、つまり前方へ押圧するよう配置される。その後、規制片３９が上下の差込孔３１ａに係合されることで、弾性部材６が抜け止めされることになる。接触片５は、図４（ｂ）に示されるように、略長方形の金属板であり、空間部３２より外へ張り出す端側に線材８が溶接等で接合される。なお、弾性部材６としては、コイルばねに代えて、例えば、板ばねやゴム等の弾性体により接触片５を保持すると共に前方へ押圧するようにしてもよい。
【００１９】
（組立要領）次に組立手順例について述べる。上記ソケット本体１には、まず、底面部２５が装着された後、背面部２０が摺動体３を線材８及び固定片７などを介して接続した状態で装着される。底面部２５は、ソケット本体１に対し下側から本体内に押し込むことにより、係合部２７が係止孔１１ａに係合し、両側の爪２５ａが対応する張出部側凹部１５ａに係合し装着される。該装着状態では、両側の張出部２９がソケット本体側の張出部１５と並び、外側面の前後溝２９ａが支持溝１４と連続し、それによって支持溝１４が前後に亘って断面コ形溝となる。
【００２０】
背面部２０には、上述したように一対の固定片７及び線材８並びに金具５０が予め組み込まれる。摺動体３にも上述したように接触片５及び弾性部材６並びに規制片３９が予め組み込まれる。そして、摺動体３は、例えば、背面部側の固定片７に接合されている線材８の端部を摺動体側の接触片５の対応部に溶着等で接合することで、背面部２０に対して一体化される。その状態から、背面部２０は、ソケット本体１の後側に重ねられるが、その際、摺動体３がソケット本体１の後側開口より挿入される。摺動体３は、上側の各嵌合部３５が本体内の対応ガイド部１９に嵌合され、下側の凸部３６が底面部側ガイド部２６に嵌合されることで、前後へ平行移動される。
【００２１】
その後、この構造では、背面部２０がソケット本体１側に強く押し付けられると、上記した背面部側のピンがソケット本体側の対応取付穴１８に係合し、その状態からねじＳが前記貫通孔からソケット本体側の対応取付穴１８に螺入される。なお、この形態では、背面部２０の下両側にも前記各連結部に対応した何れも図示しない貫通孔とピンとが形成されており、背面部２０がソケット本体１の後側に重ねられた状態で、前記ピンがソケット本体側の対応取付穴１６に係合し、ねじＳが前記貫通孔からソケット本体側の対応取付穴１６に螺入されるようになっている。換言すると、背面部２０は、ソケット本体１に対し後述する底面部２５を装着した後、２箇所のピンによる係合と２本のねじＳによる螺合により装着される。最後に、一対のリード線９が固定片７に接続される。各リード線９は、電源側に接続されるもので、その各接続端９ａが背面部２０側の対応貫通孔２０ｂに押入されることで、屈曲部７ａと上記金具５０の取付板部から斜め上側へ延びた押圧部との間に挟持される。但し、リード線９は、背面部２０をソケット本体１に取り付けられる前に付設してもよい。
【００２２】
（作動）以上のようにして組み立てられた差込式ソケットは、従来構造に比較して、略長方形の各接触片５を摺動体３の背面側略中央からピン挿入孔３０を横切って左又は右方向に配置した接触片５の配置構成と、各コイルばね４を上下略平行つまり上下２段に配置したコイルばねの配置構成とにより、付勢部材として２つのコイルばね４を具備しながら蛍光灯用差込式ソケットとしてより小型化できる。また、ソケット本体１が背面部２０及び底面部２５を分割形成しているため、摺動体用のガイド部１９，２６、及び各接触片５と電源側リード線９とを電気接続可能にする固定片７などを支持したり取り付ける部分を容易に形成でき、しかも導電部材として背面部２０に配設されてリード線９側に接続される固定片７と、固定片７と接触片５とを接続する屈曲性に富む線材８とで構成したため、部材同士の緩衝や接触の虞を確実に無くすことができる。加えて、この構造では、ランプピン４２に対する接触片５の接触圧を、摺動体３を付勢している上下２段のコイルばね４の圧設定と、弾性部材６の弾性力設定より、ランプピン４２の長さ寸法ばらつき（許容公差として約１ｍｍ）の影響を受け難くして良好な接触状態を得られること、摺動体３が上下のガイド部１９と２６に沿って傾くことなく安定した状態で移動されこと、それにより信頼性を向上できる。
【００２３】
図８は以上のようにして組み立てられた差込式ソケットの使用例を示している。図８（ａ）の使用例は、２個のソケット本体１が蛍光灯４０の長さに応じた間隔を保って被取付部に予め装着されている左右のブラケット４５を介して取り付けられている。図８（ｂ）の使用例は、図８（ａ）の状態から、更に両側のブラケット４５及び蛍光灯４０を上から覆うカバー材４６を追加した例である。ここで、前記ブラケット４５は、プレス成形品であり、前後端が上に折り曲げられると共に、板幅の中間部が前端側から後端の少し手前迄を欠如することで両側に係合片部４５ａを形成している。そして、この構造では、図８（ｃ）のごとく両側の係合片部４５ａの内側縁部を、ソケット本体１及び背面部２０の各支持溝１４，２０ｄに嵌合し、該嵌合状態からソケット本体１をブラケット４５の後方へ摺動し、かつブラケット４５に形成されている不図示の切起片部をソケット本体１の前側を横切るよう変形操作することで、各ソケットはブラケット４５に対し簡単かつ確実に取り付けられる。但し、取付構造は任意であり、上記した底面部側の凹部２５ｂ及び凸部２５ｃを利用して位置決めしたり取り付けることも可能である。
【００２４】
なお、以上の形態例は本発明を何ら制約するものではない。本発明は請求項１で特定する要件を除き、例えば、摺動体の形状や突出量などは種々変形可能なものである。
【図面の簡単な説明】
【００２５】
【図１】発明形態例の差込式ソケットを示す外観図である。
【図２】（ａ）と（ｂ）は図１のソケットの正面図と背面図である。
【図３】（ａ）と（ｂ）は図１のソケットの側面図と底面図である。
【図４】（ａ）と（ｂ）は図２のＡ−Ａ線とＢ−Ｂ線に沿った概略断面図である。
【図５】図３のＣ−Ｃ線に沿った概略断面図である。
【図６】（ａ）と（ｂ）はソケット本体（背面部・底面部を付けない状態）と摺動体を示す外観図である。
【図７】（ａ）と（ｂ）はソケット本体（背面部を付けた状態）と底面部を示す外観図である。
【図８】（ａ）と（ｂ）は上記ソケットの２つの使用例を示し、（ｃ）は（ａ）のＤ−Ｄ線に沿った断面図である。
【符号の説明】
【００２６】
１…ソケット本体（１０は前開口部、１４は支持溝、１１ａは係止孔）
３…摺動体（３０はピン挿通孔、３１はカバー部、３２は空間部、３３は支持突起）
４…コイルばね（付勢部材）
５…接触片
６…弾性部材
７…固定片（導電部材）
８…線材（導電部材）
９…リード線
１９…ガイド部（上側のガイド部）
２６…ガイド部（下側のガイド部）
２０…背面部（２０ｄは支持溝、２１は支持突起、２２は押さえ部、２３は係合部）
２５…底面部（２６は下ガイド部、２７は係合部、２８は片部、２９は張出部）
４０…直管型蛍光灯（４１は口金、４２はランプピン）
４５…取付用ブラケット（４５ａは係合片部）
【図１】
2008262723.tif 000003
【図２】
2008262723.tif 000004
【図３】
2008262723.tif 000005
【図４】
2008262723.tif 000006
【図５】
2008262723.tif 000007
【図６】
2008262723.tif 000008
【図７】
2008262723.tif 000009
【図８】
2008262723.tif 000010